(57)【要約】【課題】  広告情報等を、大掛かりなシステムを構築することなく個々の居室親機に対して配信でき、居室親機にて閲覧できるインターホンシステムを提供する。【解決手段】  玄関子機１に情報を受信する子機無線受信手段を設けて、受信した情報を居室親機２に伝送させ、居室親機２に認証コード設定手段を設けて、送信された情報のうち認証した情報のみ液晶モニタ１０に表示させた。玄関子機１への情報の送信は、持ち運びできる情報送信端末機３を使用して行い、居室親機２には更に親機無線送信手段を設けて、液晶モニタ１０に表示した情報を別途設けた無線受信端末機４に無線送信可能とし、居住者が外出先で情報を活用可能とした。【選択図】  図１
2007208507.tif 000002
【特許請求の範囲】
【請求項１】
玄関に設置される玄関子機と、屋内に設置される居室親機と、持ち運び可能で情報をワイヤレス送信する情報送信端末機とを備え、前記玄関子機は、前記情報送信端末機からワイヤレス送信された情報を受信する受信手段と、受信した情報を前記居室親機に伝送する情報伝送手段とを有する一方、前記居室親機は、伝送された前記情報を表示する情報表示手段を有することを特徴とするインターホンシステム。
【請求項２】
前記居室親機は、前記情報送信端末機から新たな情報が送信されたら、居住者に報知する報知手段を有することを特徴とする請求項１に記載のインターホンシステム。
【請求項３】
前記居室親機は、認証コードを設定する認証コード設定手段を有し、前記玄関子機が前記情報送信端末機から情報を受信する際、予め決められた認証コードを有する情報のみ受信可能としたことを特徴とする請求項１又は２記載のインターホンシステム。
【請求項４】
前記居室親機は、受信した情報の表示／非表示を設定する表示設定手段を有することを特徴とする請求項１乃至３の何れかに記載のインターホンシステム。
【請求項５】
前記居室親機に表示された情報を無線受信可能であって持ち運び可能な情報受信端末機を有する一方、前記居室親機は、表示した情報を前記情報受信端末機に無線送信するための無線送信手段を有することを特徴とする請求項１乃至４の何れかに記載のインターホンシステム。
【発明の詳細な説明】
【技術分野】
【０００１】
本発明は、インターホンシステムに関し、詳しくは外部から伝送されてきた情報を居住者が閲覧できるインターホンシステムに関する。
【背景技術】
【０００２】
広告情報等を閲覧できる従来のインターホンシステムとしては、例えば特許文献１，２に記載されたものがある。特許文献１では、エレベータに備えられた液晶表示部に外部に設置されたＰＣ（パーソナルコンピュータ）を有線接続し、ＰＣで作成した回覧情報等を表示してエレベータを利用する居住者に対して情報を提供可能としている。また、特許文献２では、公衆通信回線を介して集合住宅インターホンシステムを外部の管理センタに接続し、管理センタから送られてくる情報を映像蓄積手段に蓄積することで、居住者が見たい時に、蓄積されている情報を取り出して閲覧可能としている。
【０００３】
【特許文献１】特開２００３−２８９３９５号公報
【特許文献２】特開２００１−２５８０１５号公報
【発明の開示】
【発明が解決しようとする課題】
【０００４】
しかし、上記特許文献は何れも集合住宅に対しては有効なシステムであるが、個別住宅に対して適用するには大掛かりなシステムとなっていた。また、個々の居住者に対して情報が配信される訳ではないので、近隣の商店の特売情報や飲食店のサービス情報等の消費者に有益な情報を配信するには好ましいシステムではなかった。
そこで、本発明はこのような問題点に鑑み、広告情報等を、大掛かりなシステムを構築することなく個々の居室親機に対して配信でき、居室親機にて閲覧できるインターホンシステムを提供することを目的とする。
【課題を解決するための手段】
【０００５】
上記課題を解決する為に、請求項１に記載の発明は、玄関に設置される玄関子機と、屋内に設置される居室親機と、持ち運び可能で情報をワイヤレス送信する情報送信端末機とを備え、玄関子機は、情報送信端末機からワイヤレス送信された情報を受信する受信手段と、受信した情報を居室親機に伝送する情報伝送手段とを有する一方、居室親機は、伝送された情報を表示する情報表示手段を有することを特徴とする。
この構成により、情報送信端末機を用いて、居住者と通話する事無く玄関子機を介して居室親機に情報を送信することができる。そのため、居住者の手を煩わせる事無く、また居住者の有無に拘わらず情報を提供できるし、居住者は見たい時に受信した情報を閲覧することができる。また、玄関子機で受信するので、情報送信端末機は小さな出力で情報をワイヤレス送信できる。更に、情報送信端末機を回覧板としての使用も可能であるし、個々の住戸に対して情報を送信するので情報送信先を選択することもできる。
【０００６】
請求項２の発明は請求項１に記載の発明において、居室親機は、情報送信端末機から新たな情報が送信されたら、居住者に報知する報知手段を有することを特徴とする。
この構成により、居住者は新たな情報が入力されたことを知ることができ、重要な情報を見逃さないようにできる。
【０００７】
請求項３の発明は、請求項１又は２に記載の発明において、居室親機は、認証コードを設定する認証コード設定手段を有し、玄関子機が情報送信端末機から情報を受信する際、予め決められた認証コードを有する情報のみ受信可能としたことを特徴とする。
この構成により、情報送信端末機が複数の場合、居室親機に表示される情報送信端末機を選択でき、居住者により選択された情報のみ表示させることができ、居住者は表示された情報に煩わされる事がない。
【０００８】
請求項４の発明は、請求項１乃至３の何れかに記載の発明において、居室親機は、受信した情報の表示／非表示を設定する表示設定手段を有することを特徴とする。
この構成により、居住者は受信情報を見たい時のみ表示でき、情報の表示が邪魔になることがない。
【０００９】
請求項５の発明は、請求項１乃至４の何れかに記載の発明において、居室親機に表示された情報を無線受信可能であって持ち運び可能な情報受信端末機を有する一方、居室親機は、表示した情報を情報受信端末機に無線送信するための無線送信手段を有することを特徴とする。
この構成により、情報送信端末機から送信された情報を情報受信端末機に転送することで、居住者は外出先でその情報を活用することができる。例えば、情報受信端末機を携行することで、外出先で情報送信端末機から得た割引券等の情報を活用することができる。
【発明の効果】
【００１０】
本発明によれば、居住者と通話する事無く玄関子機を介して居室親機に情報を送信することができるため、居住者の手を煩わせる事無く、また居住者の有無に拘わらず情報を提供できるし、居住者は見たい時に受信した情報を閲覧することができる。また、玄関子機で受信するので、情報送信端末機は小さな出力で情報をワイヤレス送信できる。
更に、情報送信端末機から送信された情報を持ち運び可能な情報受信端末機に転送する構成とすれば、居住者は外出先でその情報を活用できる。
【発明を実施するための最良の形態】
【００１１】
以下、本発明を具体化した実施の形態を、図面に基づいて詳細に説明する。図１は、本発明に係るインターホンシステムの一例を示す構成図であり、玄関に設置されて居住者を呼び出すための玄関子機１と、住戸内に設置されて玄関子機１からの呼び出しに応答するための居室親機２と、持ち運び可能であって予め入力された情報を無線送信するための情報送信端末機３と、持ち運び可能で通信回線を介して情報を受信する情報受信端末機４とで構成されている。尚、玄関子機１と居室親機２とは伝送線路Ｌ１により接続されている。
【００１２】
玄関子機１は、居室親機２を呼び出すための呼出ボタン６、マイク７、スピーカ８、来訪者を撮像するカメラ９を有し、居室親機２はカメラ９の撮像映像を出画する液晶モニタ１０、通話するためのハンドセット１１を備えている。また、液晶モニタ１０は操作部としてのタッチパネル１２が前面に設けられている。
【００１３】
図２は、玄関子機１の要部構成を示す回路ブロック図であり、１３は居室親機２を接続する子機ＩＦ（インターフェイス）、１４はアンテナ１４ａを備えて情報を無線受信する子機無線受信手段、１５は玄関子機を制御する子機ＣＰＵである。尚、図２では居室親機２を呼び出して通話するための回路を省略してある。
【００１４】
図３は、居室親機２の要部構成を示す回路ブロック図であり、１７は玄関子機１を接続する親機ＩＦ（インターフェイス）、１８は情報の受信を許可する認証コードを設定する認証コード設定手段、１９は情報を表示する情報表示手段、２０は情報を受信した旨を居住者に知らせる報知手段、２１は受信した情報の表示／非表示を設定する表示設定手段、２２はアンテナ２２ａを備えて情報を外部に無線送信する親機無線送信手段、２３は外部へ情報を送信操作する送信操作手段、２４は設定を記憶する設定記憶手段、２５は居室親機２を制御する親機ＣＰＵである。
【００１５】
認証コード設定手段１８、表示設定手段２１、送信操作手段２３はタッチパネル１２で構成されており、所定の操作でタッチパネル１２上に操作ボタンを表示させてタッチ操作して実施されるが、テンキー等を備えている場合はテンキーボタンを兼用させても良いし、送信操作手段２３は専用のボタンで構成しても良い。また、情報表示手段１９は液晶モニタ１０である。尚、上記回路ブロック図は、玄関子機１からの呼び出しに応じて通話するための回路を省略してある。
【００１６】
図４は情報送信端末機３の回路ブロック図を示している。情報送信端末機３は、アンテナ３１ａを備えて情報を無線送信する無線送信手段３１、送信情報を表示する表示手段３２、送信操作手段３３、情報の入力を行うための入力操作手段３４、情報記憶部３５、情報送信端末機３を制御する送信機ＣＰＵ３６を備えている。表示手段３２は液晶表示部等で構成され、入力操作手段３４は図１に示すようにペン２７と入力ボード２８を備えて構成されている。
【００１７】
また、図５は情報受信端末機４の回路ブロック図を示している。情報受信端末機４は、アンテナ３９ａを備えて情報を受信する無線受信手段３９、受信情報を表示する表示手段４０、受信情報の表示操作等を行う操作手段４１、情報を記憶する情報記憶部４２、情報受信端末機４を制御する受信機ＣＰＵ４３を備えている。表示手段４０は液晶表示部等で構成され、操作手段４１はテンキー等で構成されている。
【００１８】
このように構成されたインターホンシステムの動作を以下に説明する。尚、来訪者による玄関子機１からの呼び出し、この呼び出しを受けて行われる玄関子機１と居室親機２の間の通話動作については従来と同様であるため説明を省略し、情報送信端末機３からの情報の伝送に関して説明する。
まず、玄関子機１の情報受信動作を説明する。最初に情報送信端末機３に各居住者に伝える情報が、入力操作手段３４を操作して行われる。尚、このペン入力による入力操作は別途入力装置を接続することなく実施できるが、パーソナルコンピュータで作成した情報を取り込んで作成するようにしてもよい。こうして作成した情報は、情報記憶部３５に記憶される。
【００１９】
そして、個々の住戸の玄関に赴いて玄関子機１に向けて送信操作手段３３を操作して情報を送信すると、送信機ＣＰＵ３６は記憶されている情報を取り出して送信制御する。こうして送信された情報は玄関子機１で受信される。玄関子機１は、子機無線受信手段１４が常時受信可能状態にあり、受信された情報は情報伝送手段としての子機ＣＰＵ１５の制御により、子機ＩＦ１３、伝送線路Ｌ１を介して居室親機２に伝送される。
【００２０】
居室親機２では、親機ＣＰＵ２５が設定記憶手段２４が記憶している認証コードと、受信した情報に含まれる認証コードが一致しているか判断し、一致している場合に受信した情報を情報表示手段１９に表示し、新たな情報が伝送されてきたことを、報知手段２０により報知動作させる。認証コードが一致しない場合は、受信された情報は消去される。尚、情報が伝送されてきたことを通知する報知動作は居住者の好みによりなくすことができる。
【００２１】
この認証コードは個々の情報送信端末機３に設定されているもので、情報送信端末機３の送信機ＣＰＵ３６は、情報を玄関子機１に送信する際、認証コードを付加して送信する。また、居室親機２による認証コードの設定は、認証コード設定手段１８により設定され、受信したい情報送信端末機３に一致するよう設定され、設定された認証コードは設定記憶手段２４に記憶される。こうして、情報送信端末機３から送信された情報が、屋内に設置された居室親機２に表示されるし、新たな情報が、居室親機２に届いたことを居住者に知らせることができる。
【００２２】
また、上記表示動作は情報の表示設定手段２１による表示／非表示設定が表示設定の場合の動作であるが、表示設定手段２１を操作することで、玄関子機１が受信して伝送してきた情報を非表示に設定できる。具体的には、表示設定手段２１により非表示に設定すると、親機ＣＰＵ２５の制御より、設定記憶手段２４に非表示設定が記憶される。そして、この状態において、玄関子機１が受信した情報を居室親機２に送信しても、親機ＣＰＵ２５は設定記憶手段２４の非表示設定に従い、受信した情報は表示せずに消去操作する。この動作により、情報送信端末機３から送信された情報を玄関子機１が受信しても、住居人が見たくない種類の情報の場合は、居室親機２に表示させずに受信を拒否することができる。
【００２３】
次に、居室親機２に表示された情報を更に情報受信端末機４に送信する操作を説明する。居室親機２に表示された情報は、送信操作手段２３の操作により、情報受信端末機４に転送することができる。送信操作手段２３の操作により、親機ＣＰＵ２５は親機無線送信手段２２を制御して、表示されている情報を情報受信端末機４に無線送信する。情報受信端末機４は、その情報を無線受信手段３９で受信し、受信機ＣＰＵ４３の制御により情報記憶部４２に保存し、表示手段４０に受信した情報を表示する。こうして、持ち運び可能な情報受信端末機４に、居室親機２に表示された情報を送信することができ、居室親機２と同様に情報を閲覧することが可能となる。
尚、親機無線送信手段２２は公衆通信回線に接続するインターフェイスとして構成しても良く、この場合情報受信端末機４は携帯電話が使用でき、情報受信端末機４を専用の構成とする必要がなくなる。
【００２４】
このシステムの効果的な使用例としては、次のような例を挙げることができる。例えば、ピザ屋等の宅配サービス業者のキャッシュバックサービスを挙げることができる。この場合、業者が無線送信端末機３を携帯してキャッシュバックを受けられる広告（以下、クーポン券とする）を個々の居室親機２に送信すれば、居住者がそれを見てピザの配達時に居室親機２に表示されたクーポン券を提示することで所定のサービスを受けることが可能となる。
また、情報受信端末機４を使用したシステムの例としては、例えばデパートのクーポン券サービスを挙げることができる。居室親機２が表示したクーポン券の情報を、情報受信端末機４に転送することで、居住者はデパートなどで買い物をした際にクーポン券を見せることができ、所定のサービスを受けることが可能となる。
更に、情報送信端末機３は回覧板としての使用が可能であるし、ペーパレス化を図ることができる。
【００２５】
このように、情報送信端末機を用いて、居住者と通話する事無く玄関子機を介して居室親機に情報を送信することができるため、居住者の手を煩わせる事無く、また居住者の有無に拘わらず情報を提供できるし、居住者は見たい時に受信した情報を閲覧することができる。
また、玄関子機で受信するので、情報送信端末機は小さな出力で情報をワイヤレス送信できるし、居室親機が新情報を受信したらそれを報知するので、居住者は新たな情報が入力されたことを知ることができ、重要な情報を見逃さないようにできる。
更に、認証コードを付すことで、居室親機に表示される情報送信端末機を選択して、居住者により選択された情報のみ表示させることができ、居住者は表示された情報に煩わされる事がない。
また、受信した情報を非表示にできるので、居住者は受信情報を見たい時のみ表示させることができ、情報の表示が邪魔になることがないし、情報送信端末機から送信された情報を情報受信端末機に転送することで、居住者は外出先でその情報を活用することができる。
【００２６】
尚、上記実施形態は戸建て住宅向けのインターホンシステムについて説明したが、集合住宅に対応した集合住宅インターホンシステムに対しても適用可能であり、集合玄関機に子機無線受信手段１４を設ければ、情報送信端末機３等の構成を変更する事無く情報送信端末機３から送信された情報を居室親機にて受信が可能となる。
また、情報送信端末機３から玄関子機１への情報送信はＦＭ波のようなアナログ波であっても良いし、携帯電話のようにデジタル通信としても良い。更には、テレビリモコンのように赤外線による通信を利用することもできる。
【図面の簡単な説明】
【００２７】
【図１】本発明に係るインターホン装置の実施形態の一例を示す構成図である。
【図２】玄関子機の回路ブロック図である。
【図３】居室親機の回路ブロック図である。
【図４】情報送信端末機の回路ブロック図である。
【図５】情報受信端末機の回路ブロック図である。
【符号の説明】
【００２８】
１・・玄関子機、２・・居室親機、３・・情報送信端末機、４・・情報受信端末機、１０・・液晶モニタ、１２・・タッチパネル、１４・・子機無線受信手段、１５・・子機ＣＰＵ（情報伝送手段）、１８・・認証コード設定手段、１９・・情報表示手段、２０・・報知手段、２１・・表示設定手段、２２・・親機無線送信手段、２５・・親機ＣＰＵ、３１・・無線送信手段、３９・・無線受信手段。
【図１】
2007208507.tif 000003
【図２】
2007208507.tif 000004
【図３】
2007208507.tif 000005
【図４】
2007208507.tif 000006
【図５】
2007208507.tif 000007